(57)【要約】      （修正有）【課題】  蛍光表示管の端子部が折れることを防ぐことができる蛍光表示管の端子部構造を提供する。【解決手段】  蛍光表示管１の下部側に複数本下向きに突出され、上部側の幅広部３ａと下部側の幅狭部３ｂとで構成された端子部３を基板に取り付けるようにした蛍光表示管の端子部構造において、複数本の端子部３の上部側の幅広部３ａと下部側の幅狭部３ｂが平板状に形成されており、内側の端子部３はその上部側の幅広部３ａと下部側の幅狭部３ｂが蛍光表示管１の長手方向と同じ向きとされ、両外側端の端子部３はその上部側の幅広部３ａと下部側の幅狭部３ｂとが、蛍光表示管１の長手方向に直交した前後向きとされている。【選択図】  図１
2006114346.tif 000002
【特許請求の範囲】
【請求項１】
蛍光表示管の下部側に複数本下向きに突出され、上部側の幅広部と下部側の幅狭部とで構成された端子部を基板に取り付けるようにした蛍光表示管の端子部構造において、前記複数本の端子部の上部側の幅広部と下部側の幅狭部が平板状に形成されており、内側の端子部はその上部側の幅広部と下部側の幅狭部が前記蛍光表示管の長手方向と同じ向きとされ、両外側端の端子部はその上部側の幅広部と下部側の幅狭部とが、前記蛍光表示管の長手方向に直交した前後向きとされていることを特徴とする蛍光表示管の端子部構造。
【請求項２】
蛍光表示管の下部側に複数本下向きに突出され、上部側の幅広部と下部側の幅狭部とで構成された端子部を基板に取り付けるようにした蛍光表示管の端子部構造において、前記複数本の端子部の上部側の幅広部が前記蛍光表示管の長手方向と同じ向きとされ、全ての端子部の下部側の幅狭部が丸ピンに形成されていることを特徴とする蛍光表示管の端子部構造。
【請求項３】
蛍光表示管の下部側に複数本下向きに突出され、上部側の幅広部と下部側の幅狭部とで構成された端子部を基板に取り付けるようにした蛍光表示管の端子部構造において、前記端子部の上部側の幅広部と下部側の幅狭部が前記蛍光表示管の長手方向と直交する前後向きとされていることを特徴とする蛍光表示管の端子部構造。
【請求項４】
前記複数本の端子部の上部側の幅広部と下部側の幅狭部が平板状に形成され、その全てが、前記蛍光表示管の長手方向と直交する前後向きとされている請求項３に記載の蛍光表示管の端子部構造。
【請求項５】
前記複数本の端子部の上部側の幅広部の全てが前記蛍光表示管の長手方向と直交する前後向きとされ、下部側の幅狭部の全てが丸ピンに形成されている請求項３に記載の蛍光表示管の端子部構造。
【請求項６】
内側の前記端子部の上部側の幅広部が前記蛍光表示管の長手方向と同じ向きとされ、両外側端の端子部の上部側の幅広部が前記蛍光表示管の長手方向と直交する前後向きとされており、前記複数本の端子部の下部側の幅狭部の全てが丸ピンに形成されている請求項３に記載の蛍光表示管の端子部構造。
【発明の詳細な説明】
【技術分野】
【０００１】
本発明は、蛍光表示管の下部側に複数本下向きに突出され、上部側の幅広部と下部側の幅狭部とで構成された端子部を基板に取り付けるようにした蛍光表示管の端子部構造に関するものである。
【背景技術】
【０００２】
従来のこの種の蛍光表示管の端子部構造は、図６（ａ）（ｂ）に示すように、蛍光表示管１０１の本体部１０２の下側に突出する複数本の端子部１０３は、上部側の幅広部１０３ａと幅狭部１０３ｂとで構成されている。これら複数本の端子部１０３は、本体部１０２の長手方向と同じ向き（図にて横向き）に向いた状態とされていた。このために、前後方向の強度が弱くて折れやすいという問題があった。尚、図６（ｂ）は、端子部１０３の下部側の幅狭部１０３ｂを基板１０４の孔１０４ａに挿入した状態を示している。
【０００３】
第１の従来技術を図７に示す。この従来の蛍光表示管２０１は、図７に示すように、蛍光表示手段を内臓して気密封着された外囲器２０５と、この外囲器２０５の外部に延出されたリードピン２０３とを備え、このリードピン２０３が外囲器２０５の外部に延出後、角状に複数回折り曲げられたバネ構造とされているものである。（例えば、特許文献１参照）。
【０００４】
ところが、これにおいては、リードピン２０３が薄肉状であり、しかも複数回折り曲げられているので、構造的に弱いという欠点があった。
【特許文献１】特開２００１−１７５１９４号公報
【発明の開示】
【発明が解決しようとする課題】
【０００５】
本発明は、上記従来の問題に鑑みてなされたものであって、蛍光表示管の端子部が折れることを防ぐことができる蛍光表示管の端子部構造を提供することを目的としている。
【課題を解決するための手段】
【０００６】
本発明は、上記課題を解決するために提案されたものであって、請求項１に記載の発明は、蛍光表示管の下部側に複数本下向きに突出され、上部側の幅広部と下部側の幅狭部とで構成された端子部を基板に取り付けるようにした蛍光表示管の端子部構造において、前記複数本の端子部の上部側の幅広部と下部側の幅狭部が平板状に形成されており、内側の端子部はその上部側の幅広部と下部側の幅狭部が前記蛍光表示管の長手方向と同じ向きとされ、両外側端の端子部はその上部側の幅広部と下部側の幅狭部とが、前記蛍光表示管の長手方向に直交した前後向きとされていることを特徴としている。
【０００７】
請求項２に記載の発明は、蛍光表示管の下部側に複数本下向きに突出され、上部側の幅広部と下部側の幅狭部とで構成された端子部を基板に取り付けるようにした蛍光表示管の端子部構造において、前記複数本の端子部の上部側の幅広部が前記蛍光表示管の長手方向と同じ向きとされ、全ての端子部の下部側の幅狭部が丸ピンに形成されていることを特徴としている。
【０００８】
請求項３に記載の発明は、蛍光表示管の下部側に複数本下向きに突出され、上部側の幅広部と下部側の幅狭部とで構成された端子部を基板に取り付けるようにした蛍光表示管の端子部構造において、前記端子部の上部側の幅広部と下部側の幅狭部が前記蛍光表示管の長手方向と直交する前後向きとされていることを特徴としている。
【０００９】
請求項４に記載の発明は、前記複数本の端子部の上部側の幅広部と下部側の幅狭部が平板状に形成され、その全てが、前記蛍光表示管の長手方向と直交する前後向きとされている。
【００１０】
請求項５に記載の発明は、前記複数本の端子部の上部側の幅広部の全てが前記蛍光表示管の長手方向と直交する前後向きとされ、下部側の幅狭部の全てが丸ピンに形成されている。
【００１１】
請求項６に記載の発明は、内側の前記端子部の上部側の幅広部が前記蛍光表示管の長手方向と同じ向きとされ、両外側端の端子部の上部側の幅広部が前記蛍光表示管の長手方向と直交する前後向きとされており、前記複数本の端子部の下部側の幅狭部の全てが丸ピンに形成されている。
【発明の効果】
【００１２】
請求項１に記載の発明によれば、複数本の端子部のうち、両外側端の端子部をその上部側の幅広部と下部側の幅狭部とが、前記蛍光表示管の長手方向に直交した前後向きとされているので、端子部の前後幅が大きくなって、蛍光表示管が前後に倒れることを阻止でき、端子部が折れることを防ぐことができる。
【００１３】
請求項２に記載の発明によれば、全ての端子部の下部側の幅狭部が丸ピンに形成されているので、丸ピンは前後方向に倒れようとする力が働いても前後方向に折れることがなく、端子部が折れることを防ぐことができる。
【００１４】
請求項３に記載の発明によれば、前記端子部の上部側の幅広部と下部側の幅狭部が前記蛍光表示管の長手方向と直交する前後向きとされているので、端子部の前後幅が大きくなり、端子部が前後方向に倒れて折れることを防ぐことができる。
【００１５】
請求項４に記載の発明によれば、端子部の全てが蛍光表示管の長手方向と直交する前後向きとされているので、端子部が前後方向に折れることを防ぐことができる。また、横方向には複数本の端子部が並んでいるので、横方向へも折れることがない。
【００１６】
請求項５に記載の発明によれば、端子部の下部側の幅狭部の全てが丸ピンで形成されているので、丸ピンは折れにくく端子部が前後方向及び横方向に折れることを防ぐことができる。
【００１７】
請求項６に記載の発明によれば、両外側端の端子部の上部側の幅広部が蛍光表示管の長手方向と直交する前後向きとされているので、蛍光表示管が前後方向に倒れることを阻止でき、端子部が折れることを防ぐことができる。更に、端子部の下部側の幅狭部が全て丸ピンで形成されているので、丸ピンは折れにくいために端子部が折れることを防ぐことができる。
【発明を実施するための最良の形態】
【００１８】
以下、本発明に係る蛍光表示管の端子部構造の実施の形態について、図を参照しつつ説明する。
【００１９】
図１は本発明の第１実施形態の蛍光表示管の端子部構造を示し、（ａ）はその正面図、（ｂ）はその端子部の下部側の幅狭部の下端を基板の孔に挿入した状態の下面図である。
【００２０】
この第１実施形態の蛍光表示管の端子部構造は、図１（ａ）（ｂ）に示すように、蛍光表示管１の本体部２の下側に下方に向けて複数本の端子部３が突出して設けられている。この端子部３は上部側の幅広部３ａと下部側の幅狭部３ｂとで構成され、いずれも平板状に形成されている。内側の端子部３はその上部側の幅広部３ａと下部側の幅狭部３ｂが蛍光表示管１の本体部２の長手方向と同じ向きとされ、両外側端のそれぞれ２本の端子部３はその上部側の幅広部３ａと下部側の幅狭部３ｂとが、蛍光表示管１の本体部２の長手方向に直交した前後向きとされている。尚、図において、符号４は端子部３の下部側の幅狭部３ｂが嵌めいれられる基板の孔部である。
【００２１】
従って、この第１実施形態によれば、複数本の端子部３のうち、両外側端の２本の端子部３をその上部側の幅広部３ａと下部側の幅狭部３ｂとが、蛍光表示管１の本体部２の長手方向に直交した前後向きとされているので、端子部３の前後幅が大きくなって、蛍光表示管１が前後に倒れることを阻止でき、端子部３が折れることを防ぐことができる。
【００２２】
図２は第２実施形態の蛍光表示管の端子部構造を示し、（ａ）はその正面図、（ｂ）はその端子部の下部側の幅狭部の下端を基板の孔に挿入した状態の下面図である。
【００２３】
この第２実施形態の蛍光表示管の端子部構造は、図２（ａ）（ｂ）に示すように、複数本の端子部３の上部側の幅広部３ａと下部側の幅狭部３ｂが平板状に形成され、その全てが、蛍光表示管１の本体部２の長手方向と直交する前後向きとされている。
【００２４】
従って、この第２実施形態によれば、端子部３の全てが蛍光表示管１の本体部２の長手方向と直交する前後向きとされているので、端子部３が前後方向に折れることを防ぐことができる。また、横方向には複数本の端子部３が並んでいるので、横方向へも折れることがない。
【００２５】
図３は第３実施形態の蛍光表示管の端子部構造を示し、（ａ）はその正面図、（ｂ）はその端子部の下部側の幅狭部の下端を基板の孔に挿入した状態の下面図である。
【００２６】
この第３実施形態の蛍光表示管の端子部構造は、図３（ａ）（ｂ）に示すように、複数本の端子部３の上部側の幅広部３ａが蛍光表示管１の本体部２の長手方向と同じ向きとされ、全ての端子部３の下部側の幅狭部が丸ピン３Ａに形成されている
従って、この第３実施形態によれば、全ての端子部３の下部側の幅狭部が丸ピン３Ａに形成されているので、丸ピン３Ａは前後方向に倒れようとする力が働いても前後方向に折れることがなく、端子部３が折れることを防ぐことができる。
【００２７】
図４は第４実施形態の蛍光表示管の端子部構造を示し、（ａ）はその正面図、（ｂ）はその端子部の下部側の幅狭部の下端を基板の孔に挿入した状態の下面図である。
【００２８】
この第４実施形態の蛍光表示管の端子部構造は、図４（ａ）（ｂ）に示すように、内側の端子部３の上部側の幅広部３ａが蛍光表示管１の本体部２の長手方向と同じ向きとされ、両外側端のそれぞれ２本の端子部３の上部側の幅広部３ａが蛍光表示管１の本体部２の長手方向と直交する前後向きとされており、複数本の端子部３の下部側の幅狭部の全てが丸ピン３Ａに形成されている。
【００２９】
従って、この第４実施形態によれば、両外側端の端子部３の上部側の幅広部３ａが蛍光表示管１の本体部２の長手方向と直交する前後向きとされているので、蛍光表示管１が前後方向に倒れることを阻止でき、端子部３が折れることを防ぐことができる。更に、端子部３の下部側の幅狭部が全て丸ピン３Ａで形成されているので、丸ピン３Ａは折れにくいために端子部３が折れることを防ぐことができる。
【００３０】
図５は第５実施形態の蛍光表示管の端子部構造を示し、（ａ）はその正面図、（ｂ）はその端子部の下部側の幅狭部の下端を基板の孔に挿入した状態の下面図である。
【００３１】
この第５実施形態の蛍光表示管の端子部構造は、図５（ａ）（ｂ）に示すように、複数本の端子部３の上部側の幅広部３ａの全てが蛍光表示管１の本体部２の長手方向と直交する前後向きとされ、下部側の幅狭部の全てが丸ピン３Ａに形成されている。
【００３２】
従って、この第５実施形態によれば、両外側端の端子部３の上部側の幅広部３ａが蛍光表示管１の本体部２の長手方向と直交する前後向きとされているので、蛍光表示管３が前後方向に倒れることを阻止でき、端子部３が折れることを防ぐことができる。更に、端子部の下部側の幅狭部が全て丸ピン３Ａで形成されているので、丸ピン３Ａは折れにくいために端子部３が折れることを防ぐことができる。
【図面の簡単な説明】
【００３３】
【図１】本発明の第１実施形態の蛍光表示管の端子部構造を示し、（ａ）はその正面図、（ｂ）はその端子部の下部側の幅狭部の下端を基板の孔に挿入した状態の下面図である。
【図２】第２実施形態の蛍光表示管の端子部構造を示し、（ａ）はその正面図、（ｂ）はその端子部の下部側の幅狭部の下端を基板の孔に挿入した状態の下面図である。
【図３】第３実施形態の蛍光表示管の端子部構造を示し、（ａ）はその正面図、（ｂ）はその端子部の下部側の幅狭部の下端を基板の孔に挿入した状態の下面図である。
【図４】第４実施形態の蛍光表示管の端子部構造を示し、（ａ）はその正面図、（ｂ）はその端子部の下部側の幅狭部の下端を基板の孔に挿入した状態の下面図である。
【図５】図５は第５実施形態の蛍光表示管の端子部構造を示し、（ａ）はその正面図、（ｂ）はその端子部の下部側の幅狭部の下端を基板の孔に挿入した状態の下面図である。
【図６】従来の蛍光表示管の端子部構造を示し、（ａ）はその正面図、（ｂ）はその端子部の下部側の幅狭部の下端を基板の孔に挿入した状態の下面図である。
【図７】従来の蛍光表示管を示す部分斜視図である。
【符号の説明】
【００３４】
１          蛍光表示管
２          本体部
３          端子部
３Ａ        丸ピン
３ａ        上部側の幅広部
３ｂ        下部側の幅狭部
４          基板の孔部
【図１】
2006114346.tif 000003
【図２】
2006114346.tif 000004
【図３】
2006114346.tif 000005
【図４】
2006114346.tif 000006
【図６】
2006114346.tif 000007
【図５】
2006114346.tif 000008
【図７】
2006114346.tif 000009